【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
ネットワークと、前記ネットワークに接続された予約管理手段と、前記ネットワークに接続された予約受付手段と、前記ネットワークに接続された予約申込手段とからなる取引予約システムであって、
前記予約申込手段は、契約締結の予約を行う権利を表す予約権情報と、前記予約の申込を行う申込者を特定する情報とを入力し、前記ネットワークを介して前記予約受付手段に前記予約権情報、前記申込者を特定する情報及び前記予約の内容を表す情報を出力する手段を備え、
前記予約受付手段は、前記予約申込手段より前記予約権情報、前記申込者を特定する情報及び前記予約の内容を表す情報を入力し、前記予約権情報及び前記予約の内容を表す情報を前記予約管理手段に出力して、前記予約管理手段より前記予約の申込を承諾し得ることを示す承諾許可情報を入力したとき、前記予約の申込を承諾することを表す承諾情報を出力する手段を備え、
前記予約管理手段は、前記予約受付手段より前記予約権情報及び前記予約の内容を表す情報を入力し、前記予約権情報が表す前記権利を行使して前記予約を行うことが許されるか否かを判別し、許されると判別したときに、前記承諾許可情報を前記予約受付手段に出力する手段を備える、
ことを特徴とする取引予約システム。
【請求項２】
予約照合手段を更に備え、
前記予約管理手段は、前記承諾許可情報を前記予約照合手段に出力する手段を更に備え、
前記予約照合手段は、前記承諾許可情報を記憶し、外部より前記承諾情報を入力して、前記承諾情報が示す前記予約を示す前記承諾許可情報を記憶しているか否かを判別し、記憶していると判別したとき、前記予約履行が許される旨を表す情報を出力する手段を備える、
ことを特徴とする請求項１に記載の取引予約システム。
【請求項３】
前記予約照合手段は更に、前記承諾許可情報を記憶していると判別したとき、前記承諾許可情報を消去する手段を備える、
ことを特徴とする請求項２に記載の取引予約システム。
【請求項４】
前記予約管理手段は更に、前記予約権情報が表す前記権利を行使して前記予約を行うことが許されると判別したとき、以後該権利を行使して前記予約を行うことができない旨を記憶する手段を備える、
ことを特徴とする請求項１、２又は３に記載の取引予約システム。
【請求項５】
前記予約照合手段は更に、前記承諾許可情報を記憶していると判別したとき、前記予約管理手段に、前記承諾許可情報を出力する手段を備え、
前記予約管理手段は、前記予約照合手段より入力した前記承諾許可情報が示す前記予約が行われたとき行使された前記権利が以後は無効である旨を記憶する手段を備える、
ことを特徴とする請求項１、２又は３のいずれか１項に記載の取引予約システム。
【請求項６】
ネットワークと、前記ネットワークに接続された予約管理手段と、前記ネットワークに接続された予約受付手段とからなる取引予約システムであって、
前記予約受付手段は、前記予約権情報、前記申込者を特定する情報及び予約の内容を表す情報を入力し、前記予約権情報及び前記予約の内容を表す情報を前記予約管理手段に出力して、前記予約管理手段より前記予約の申込を承諾し得ることを示す承諾許可情報を入力したとき、前記予約の申込を承諾することを表す承諾情報を出力する手段を備え、
前記予約管理手段は、前記予約受付手段より前記予約権情報及び前記予約の内容を表す情報を入力し、前記予約権情報が表す前記権利を行使して前記予約を行うことが許されるか否かを判別し、許されると判別したときに、前記承諾許可情報を出力する手段を備える、
ことを特徴とする取引予約システムの前記ネットワークに接続されたコンピュータを、
契約締結の予約を行う権利を表す予約権情報と、前記予約の申込を行う申込者を特定する情報とを入力し、前記ネットワークを介して前記予約受付手段に前記予約権情報、前記申込者を特定する情報及び前記予約の内容を表す情報を前記予約受付手段に出力する手段と、
して機能させるためのプログラムを記録することを特徴とする記録媒体。
【請求項７】
ネットワークと、前記ネットワークに接続された予約管理手段と、前記ネットワークに接続された予約申込手段とからなる取引予約システムであって、
前記予約申込手段は、契約締結の予約を行う権利を表す予約権情報と、前記予約の申込を行う申込者を特定する情報とを入力し、前記ネットワークに前記予約権情報、前記申込者を特定する情報及び前記予約の内容を表す情報を出力する手段を備え、
前記予約管理手段は、前記予約権情報及び前記予約の内容を表す情報を入力し、前記予約権情報が表す前記権利を行使して前記予約を行うことが許されるか否かを判別し、許されると判別したときに、前記予約の申込を承諾し得ることを示す承諾許可情報を出力する手段を備える、
ことを特徴とする取引予約システムの前記ネットワークに接続されたコンピュータを、
前記予約申込手段より前記予約権情報、前記申込者を特定する情報及び前記予約の内容を表す情報を入力し、前記予約権情報及び前記予約の内容を表す情報を前記予約管理手段に出力して、前記予約管理手段より前記承諾許可情報を入力したとき、前記予約の申込を承諾することを表す承諾情報を前記予約申込手段に出力する手段と、
して機能させるためのプログラムを記録することを特徴とする記録媒体。
【請求項８】
予約管理手段と、予約受付手段とより構成される取引予約システムであって、
前記予約受付手段は、
外部の装置より、契約締結の予約を行う権利を表す予約権情報、及び、当該予約の内容を表す予約内容情報を外部のネットワークを介して取得し、当該予約権情報及び当該予約内容情報を外部のネットワークを介して前記予約管理手段に供給する手段と、
前記予約管理手段より、前記予約の申込を承諾し得ることを示す承諾許可情報を取得し、当該承諾許可情報に応答して、前記予約の申込を承諾することを表す承諾情報を出力する手段と、を備え、
前記予約管理手段は、
前記予約受付手段より予約権情報及び予約内容情報を入力し、当該予約権情報が表す権利を行使して予約を行うことが許されるか否かを判別する手段と、
当該予約権情報が表す権利を行使して予約を行うことが許されると判別したときに、外部のネットワークを介して前記予約受付手段に承諾許可情報を供給する手段と、を備える、
ことを特徴とする取引予約システム。
【請求項９】
予約照合手段を更に備え、
前記予約管理手段は、承諾許可情報を前記予約照合手段に供給する手段を更に備え、
前記予約照合手段は、供給された承諾許可情報を記憶し、外部より承諾情報を取得して、当該承諾情報が示す予約を示す承諾許可情報を記憶しているか否かを判別し、記憶していると判別したとき、当該予約の履行が許される旨を表す情報を出力する手段を備える、
ことを特徴とする請求項８に記載の取引予約システム。
【請求項１０】
前記予約照合手段は更に、外部より取得した承諾情報が示す予約を示す承諾許可情報を記憶していると判別したとき、当該承諾許可情報を消去する手段を備える、
ことを特徴とする請求項９に記載の取引予約システム。
【請求項１１】
前記予約管理手段は更に、予約権情報が表す権利を行使して予約を行うことが許されると判別したとき、以後当該権利を行使して予約を行うことができない旨を記憶する手段を備える、
ことを特徴とする請求項８、９又は１０に記載の取引予約システム。
【請求項１２】
前記予約照合手段は、外部より取得した承諾情報が示す予約を示す承諾許可情報を記憶していると判別したとき、前記予約管理手段に、当該承諾許可情報を出力する手段を更に備え、
前記予約管理手段は、前記予約照合手段が出力した承諾許可情報を取得し、当該承諾許可情報が示す予約が行われたとき行使された権利が以後は無効である旨を記憶する手段を備える、
ことを特徴とする請求項８、９又は１０に記載の取引予約システム。
【手続補正２】
【補正対象書類名】明細書
【補正対象項目名】００１６
【補正方法】変更
【補正の内容】
【００１６】
この発明の第２及び第３の観点にかかる各記録媒体に記録された各前記プログラムが各前記コンピュータにより実行されれば、前記取引予約システムにおいて、前記予約権情報と前記申込者を特定する情報とは、予約が承諾されるまで相互に対応付けられない。このため、前記予約の申込を行う者の匿名性が保たれる。
また、前記承諾許可情報が、前記申込者が前記予約を行うことが許されることを示すものであれば、前記承諾情報は、前記申込者と対応付けられる。このため、前記承諾情報を提示した者が何者であるかに拘わらず、商品等の給付は前記申込者に行われる。このため、前記第三者等が商品等の給付を不正に受けることが防止される。
また、この発明の第４の観点にかかる取引予約システムは、
予約管理手段と、予約受付手段とより構成される取引予約システムであって、
前記予約受付手段は、
外部の装置より、契約締結の予約を行う権利を表す予約権情報、及び、当該予約の内容を表す予約内容情報を外部のネットワークを介して取得し、当該予約権情報及び当該予約内容情報を外部のネットワークを介して前記予約管理手段に供給する手段と、
前記予約管理手段より、前記予約の申込を承諾し得ることを示す承諾許可情報を取得し、当該承諾許可情報に応答して、前記予約の申込を承諾することを表す承諾情報を出力する手段と、を備え、
前記予約管理手段は、
前記予約受付手段より予約権情報及び予約内容情報を入力し、当該予約権情報が表す権利を行使して予約を行うことが許されるか否かを判別する手段と、
当該予約権情報が表す権利を行使して予約を行うことが許されると判別したときに、外部のネットワークを介して前記予約受付手段に承諾許可情報を供給する手段と、を備える、
ことを特徴とする。
前記取引予約システムは、予約照合手段を更に備えてもよく、
前記予約管理手段は、承諾許可情報を前記予約照合手段に供給する手段を更に備えてもよく、
前記予約照合手段は、供給された承諾許可情報を記憶し、外部より承諾情報を取得して、当該承諾情報が示す予約を示す承諾許可情報を記憶しているか否かを判別し、記憶していると判別したとき、当該予約の履行が許される旨を表す情報を出力する手段を備えるものであってもよい。
前記予約照合手段は更に、外部より取得した承諾情報が示す予約を示す承諾許可情報を記憶していると判別したとき、当該承諾許可情報を消去する手段を備えるものであってもよい。
前記予約管理手段は更に、予約権情報が表す権利を行使して予約を行うことが許されると判別したとき、以後当該権利を行使して予約を行うことができない旨を記憶する手段を備えるものであってもよい。
あるいは、前記予約照合手段は、外部より取得した承諾情報が示す予約を示す承諾許可情報を記憶していると判別したとき、前記予約管理手段に、当該承諾許可情報を出力する手段を更に備えるものであってもよく、この場合、前記予約管理手段は、前記予約照合手段が出力した承諾許可情報を取得し、当該承諾許可情報が示す予約が行われたとき行使された権利が以後は無効である旨を記憶する手段を備えるものであってもよい。